(57)【要約】【課題】クリーニング部材に付着している塵埃を効率的にしかも容易に除去し得るクリーナを提供する。【解決手段】本体ケース１１と、本体ケース１１内に配設された回転軸１３と、帯状体によって環状に形成されると共に本体ケース１１の先端部１ａに配設された支持部材１５および回転軸１３の間に掛け渡されて回転軸１３の回転に伴って循環移動するクリーニング部材１２とを備え、本体ケース１１には、表面が粘着性を有して構成されてクリーニング部材１２に表面が接触させられた状態でクリーニング部材１２の循環移動に伴って回転することによってクリーニング部材１２に付着している塵埃を除去する塵埃除去ローラ１６が配設されている。【選択図】図２
2009034210.tif 000002
【特許請求の範囲】
【請求項１】
本体ケースと、当該本体ケース内に配設された回転軸と、帯状体によって環状に形成されると共に前記本体ケースの先端部に配設された支持部材および前記回転軸の間に掛け渡されて当該回転軸の回転に伴って循環移動するクリーニング部材とを備えたクリーナであって、
前記本体ケースには、表面が粘着性を有して構成されて前記クリーニング部材に当該表面が接触させられた状態で当該クリーニング部材の循環移動に伴って回転することによって当該クリーニング部材に付着している塵埃を除去する塵埃除去部材が配設されているクリーナ。
【請求項２】
前記塵埃除去部材は、円筒状または円柱状の軸部と、粘着性ゴムで形成されると共に前記軸部の周囲に配設された粘着部とを備えている請求項１記載のクリーナ。
【請求項３】
本体ケースと、当該本体ケース内に配設された回転軸と、帯状体によって環状に形成されると共に前記本体ケースの先端部に配設された支持部材および前記回転軸の間に掛け渡されて当該回転軸の回転に伴って循環移動するクリーニング部材とを有するクリーナ、並びに当該クリーナを保持するスタンドを備えたクリーニング用具であって、
前記スタンドは、表面が粘着性を有して構成されて前記クリーニング部材を当該表面に接触させつつ前記クリーナが移動させられたときにその移動に伴って回転することによって当該クリーニング部材に付着している塵埃を除去する塵埃除去部材を備えているクリーニング用具。
【請求項４】
前記スタンドは、上部に形成された開口部に前記先端部側を挿入させた状態で前記クリーナを保持する主筐体と、前記塵埃除去部材が配設されると共に前記主筐体に対して着脱可能に構成された副筐体とを備えている請求項３記載のクリーニング用具。
【請求項５】
本体ケースと、当該本体ケース内に配設された回転軸と、帯状体によって環状に形成されると共に前記本体ケースの先端部に配設された支持部材および前記回転軸の間に掛け渡されて当該回転軸の回転に伴って循環移動するクリーニング部材とを有するクリーナ、並びに当該クリーナを保持するスタンドを備えクリーニング用具であって、
前記スタンドは、上部に形成された開口部に前記先端部側を挿入させた状態で前記クリーナを保持可能に構成されると共に、表面が粘着性を有して構成されて前記クリーナを保持した状態において前記クリーニング部材に当該表面が接触して当該クリーニング部材の循環移動に伴って回転することによって当該クリーニング部材に付着している塵埃を除去する塵埃除去部材を備えているクリーニング用具。
【請求項６】
前記塵埃除去部材は、円筒状または円柱状の軸部と、粘着性ゴムで形成されると共に前記軸部の周囲に配設された粘着部とを備えている請求項３から５のいずれかに記載のクリーニング用具。
【発明の詳細な説明】
【技術分野】
【０００１】
本発明は、本体ケースの先端部と本体ケース内に配設された回転軸との間に掛け渡されて回転軸の回転に伴って循環移動するクリーニング部材を有するクリーナ、およびそのクリーナを備えたクリーニング用具に関するものである。
【背景技術】
【０００２】
この種のクリーニング用具として、実開平３−１１９３６５号公報に開示された表示画面用清掃具（以下、単に「清掃具」ともいう）が知られている。この清掃具は、ホルダと、ホルダの開口部から一部を突出させた状態で収容された払拭部材とを備えて構成されている。この場合、払拭部材は、スポンジやゴム等からなる弾性中心部材の回りにスポンジからなる弾性外皮部材を被設した芯材と、布帛等で形成されて芯材の周囲に巻着された払拭シートとを備えて構成されている。この清掃具を用いてディスプレー装置やテレビ等の表示画面を清掃する際には、ホルダを握持して、開口部から突出している払拭部材を表示画面に押し付けて移動させる。これにより、表示画面上に付着している塵埃が払拭シートによって拭き取られる。この場合、この清掃具では、払拭シートを巻き直すことが可能に構成されている。このため、拭き取った塵埃によって払拭シートの先端部分が汚れたときには、清浄部分（汚れていない部分）が先端部分となるように払拭シートを巻き直すことにより、払拭シートに付着した（拭き取った）塵埃が表示画面に再び付着する事態を防止することが可能となっている。
【特許文献１】実開平３−１１９３６５号公報（第４−７頁、第１図）
【発明の開示】
【発明が解決しようとする課題】
【０００３】
ところが、上記の清掃具には、以下の問題点がある。すなわち、この清掃具では、清浄部分が先端部分となるように払拭シートを巻き直すことで、払拭シートに付着した塵埃が表示画面に再び付着する事態を防止している。この場合、払拭シート全体に塵埃が付着したときには、例えば、ブラシ等を用いて塵埃を払い落としたり、清掃具から払拭シートを取り外して洗浄したりすることによって塵埃を除去する必要がある。しかしながら、ブラシ等を用いる方法では、例えば払拭シートに強固に絡み付いた塵埃を除去し難く、非効率であるという問題点が存在する。また、洗浄する方法では、払拭シートの着脱作業や洗浄作業自体が煩雑であるという問題点が存在する。
【０００４】
本発明は、かかる問題点に鑑みてなされたものであり、クリーニング部材に付着している塵埃を効率的にしかも容易に除去し得るクリーナおよびクリーニング用具を提供することを主目的とする。
【課題を解決するための手段】
【０００５】
上記目的を達成すべく本発明に係るクリーナは、本体ケースと、当該本体ケース内に配設された回転軸と、帯状体によって環状に形成されると共に前記本体ケースの先端部に配設された支持部材および前記回転軸の間に掛け渡されて当該回転軸の回転に伴って循環移動するクリーニング部材とを備えたクリーナであって、前記本体ケースには、表面が粘着性を有して構成されて前記クリーニング部材に当該表面が接触させられた状態で当該クリーニング部材の循環移動に伴って回転することによって当該クリーニング部材に付着している塵埃を除去する塵埃除去部材が配設されている。
【０００６】
この場合、円筒状または円柱状の軸部と、粘着性ゴムで形成されると共に前記軸部の周囲に配設された粘着部とを備えて前記塵埃除去部材を構成することができる。
【０００７】
また、本発明に係るクリーニング用具は、本体ケースと、当該本体ケース内に配設された回転軸と、帯状体によって環状に形成されると共に前記本体ケースの先端部に配設された支持部材および前記回転軸の間に掛け渡されて当該回転軸の回転に伴って循環移動するクリーニング部材とを有するクリーナ、並びに当該クリーナを保持するスタンドを備えたクリーニング用具であって、前記スタンドは、表面が粘着性を有して構成されて前記クリーニング部材を当該表面に接触させつつ前記クリーナが移動させられたときにその移動に伴って回転することによって当該クリーニング部材に付着している塵埃を除去する塵埃除去部材を備えている。
【０００８】
この場合、上部に形成された開口部に前記先端部側を挿入させた状態で前記クリーナを保持する主筐体と、前記塵埃除去部材が配設されると共に前記主筐体に対して着脱可能に構成された副筐体とを備えて前記スタンドを構成することができる。
【０００９】
また、本発明に係るクリーニング用具は、本体ケースと、当該本体ケース内に配設された回転軸と、帯状体によって環状に形成されると共に前記本体ケースの先端部に配設された支持部材および前記回転軸の間に掛け渡されて当該回転軸の回転に伴って循環移動するクリーニング部材とを有するクリーナ、並びに当該クリーナを保持するスタンドを備えクリーニング用具であって、前記スタンドは、上部に形成された開口部に前記先端部側を挿入させた状態で前記クリーナを保持可能に構成されると共に、表面が粘着性を有して構成されて前記クリーナを保持した状態において前記クリーニング部材に当該表面が接触して当該クリーニング部材の循環移動に伴って回転することによって当該クリーニング部材に付着している塵埃を除去する塵埃除去部材を備えている。
【００１０】
この場合、円筒状または円柱状の軸部と、粘着性ゴムで形成されると共に前記軸部の周囲に配設された粘着部とを備えて前記塵埃除去部材を構成することができる。
【発明の効果】
【００１１】
本発明に係るクリーナによれば、表面が粘着性を有して構成されてクリーニング部材に表面が接触させられた状態でクリーニング部材の循環移動に伴って回転する塵埃除去部材を本体ケースに配設したことにより、塵埃除去部材の表面の粘着力によって塵埃を貼り付かせて確実に除去することができるため、ブラシ等を用いて塵埃を払い落とす構成と比較して、クリーニング部材に付着している塵埃を効率的に除去することができる。また、このクリーナでは、クリーニング部材を取り外して洗浄する煩雑な作業を行うことなく、回転軸および支持部材に掛け渡したままの状態で回転軸を回転させてクリーニング部材を循環移動させるだけで、クリーニング部材に付着している塵埃が確実に除去される。したがって、このクリーナによれば、クリーニング部材に付着している塵埃の除去作業を容易に行うことができる。
【００１２】
また、本発明に係るクリーナでは、粘着性ゴムで形成されてその表面が粘着性を有する粘着部を備えて塵埃除去部材が構成されている。このため、このクリーナでは、粘着性ゴムの特性上、塵埃除去部材における粘着部の表面に付着した塵埃を水洗いによって容易に除去することができる。したがって、このクリーナによれば、塵埃の付着によって粘着部の表面の粘着力が低下したとしても、塵埃を洗い流すことで、粘着力を容易に回復させることができる結果、塵埃の除去効率を良好に維持した状態で塵埃除去部材を長期間使用することができる。
【００１３】
また、本発明に係るクリーニング用具によれば、表面が粘着性を有して構成されてクリーニング部材を塵埃除去部材の表面に接触させつつクリーナが移動させられたときにその移動に伴って回転する塵埃除去部材を備えてスタンドを構成したことにより、塵埃除去部材の表面の粘着力によって塵埃を貼り付かせて確実に除去することができるため、ブラシ等を用いて塵埃を払い落とす構成と比較して、クリーニング部材に付着している塵埃を効率的に除去することができる。また、このクリーニング用具では、クリーニング部材を取り外して洗浄する煩雑な作業を行うことなく、回転軸および支持部材に掛け渡したままの状態でクリーニング部材を塵埃除去部材の表面に接触させつつクリーナを移動させるだけで、クリーニング部材に付着している塵埃が容易に除去される。したがって、このクリーニング用具によれば、クリーニング部材に付着している塵埃の除去作業を容易に行うことができる。
【００１４】
また、本発明に係るクリーニング用具によれば、上部に形成された開口部に先端部側を挿入させた状態でクリーナを保持する主筐体と、塵埃除去部材が配設されると共に主筐体に対して着脱可能に構成された副筐体とを備えてスタンドを構成したことにより、副筐体を主筐体に取り付けた状態での使用、および副筐体を主筐体から取り外した状態での使用の双方を任意に選択することができる。したがって、このクリーニング用具によれば、利便性を十分に向上させることができる。
【００１５】
さらに、本発明に係るクリーニング用具によれば、表面が粘着性を有して構成されてクリーナを保持した状態においてクリーニング部材に表面が接触してクリーニング部材の循環移動に伴って回転する塵埃除去部材を備えてスタンドを構成したことにより、塵埃除去部材の表面の粘着力によって塵埃を貼り付かせて確実に除去することができるため、クリーニング部材に付着している塵埃を効率的にしかも容易に除去することができる。
【００１６】
また、本発明に係るクリーニング用具では、スタンドに配設されている塵埃除去部材が、粘着性ゴムで形成されてその表面が粘着性を有する粘着部を備えて構成されている。このため、このクリーニング用具では、粘着性ゴムの特性上、塵埃除去部材における粘着部の表面に付着した塵埃を水洗いによって容易に除去することができる。したがって、このクリーニング用具によれば、塵埃の付着によって粘着部の表面の粘着力が低下したとしても、塵埃を洗い流すことで、粘着力を容易に回復させることができる結果、塵埃の除去効率を良好に維持した状態で塵埃除去部材を長期間使用することができる。
【発明を実施するための最良の形態】
【００１７】
以下、本発明に係るクリーナおよびクリーニング用具の最良の形態について、添付図面を参照して説明する。
【００１８】
最初に、クリーニング用具１００の構成について、図面を参照して説明する。
【００１９】
図１に示すクリーニング用具１００は、本発明に係るクリーニング用具の一例であって、同図に示すように、クリーナ１およびスタンド２を備えて構成されている。クリーナ１は、本発明に係るクリーナの一例であって、図２，３に示すように、本体ケース１１、クリーニング部材１２、回転軸１３、回転機構１４、支持部材１５および塵埃除去ローラ１６を備えて構成されている。本体ケース１１は、互いに嵌合可能な第１ケース１１ａおよび第２ケース１１ｂ、並びに嵌合状態の両ケース１１ａ，１１ｂの基端部側に嵌合可能な第３ケース１１ｃを備えて構成されて、クリーニング部材１２の一部、回転軸１３および塵埃除去ローラ１６等を内部に収容可能に構成されている。また、図２に示すように、各ケース１１ａ，１１ｂ，１１ｃには、嵌合状態において塵埃除去ローラ１６を回転可能でかつ着脱可能に保持する保持部１１ｄがそれぞれ形成されている。
【００２０】
クリーニング部材１２は、例えば帯状の織布（本発明における帯状体）によってループ状（環状）に構成されている。また、クリーニング部材１２は、図３に示すように、回転軸１３および支持部材１５の間に掛け渡されて、回転軸１３の回転に伴って循環移動させられる。回転軸１３は、円柱状に形成されて、同図に示すように、本体ケース１１の内部に回転可能に収容されている。回転機構１４は、円板状のダイヤル１４ａおよび図外のギヤを備えて構成され、ダイヤル１４ａが回転させられたときに回転軸１３を回転させる。支持部材１５は、同図に示すように、先端部をＪ字状に湾曲させた板状体で構成されて、本体ケース１１の先端部１ａに配設されている。この場合、支持部材１５は、掛け渡されたクリーニング部材１２を湾曲した先端部で支持する。
【００２１】
塵埃除去ローラ１６は、本発明における塵埃除去部材の一例であって、図２に示すように、軸部１６ａおよび粘着部１６ｂを備えて構成されている。軸部１６ａは、円筒状に形成されて、各ケース１１ａ，１１ｂ，１１ｃの保持部１１ｄによって回転可能でかつ着脱可能に保持される。なお、円筒状に限定されず、円柱状の軸部１６ａを採用することもできる。粘着部１６ｂは、円筒状に形成されると共に、軸部１６ａの周囲に配設されている。また、粘着部１６ｂは、一例として、シリコン系粘着剤やブチル系粘着剤などの粘着剤によって形成されて、その表面１６ｃが十分な粘着性を有して構成されている。また、粘着部１６ｂは、厚みが２ｍｍ程度に形成されて、適度な弾性を有するように構成されている。
【００２２】
この場合、このクリーナ１では、図５に示すように、上記した保持部１１ｄの形成位置が、回転軸１３に掛け渡されたクリーニング部材１２の表面と塵埃除去ローラ１６における粘着部１６ｂの表面１６ｃとが密着するように規定されている。このため、このクリーナ１では、クリーニング部材１２に粘着部１６ｂの表面１６ｃが接触させられた状態でクリーニング部材１２の循環移動に伴って塵埃除去ローラ１６が回転し、これによってクリーニング部材１２に付着している塵埃が表面１６ｃの粘着力によって表面１６ｃに貼り付くことで確実に除去される。なお、バネ等の押圧部材を保持部１１ｄと軸部１６ａとの間に配設したり、保持部１１ｄ自体を弾性変形可能に構成したりすることで、回転軸１３に掛け渡されたクリーニング部材１２を押圧する向きに塵埃除去ローラ１６を付勢する構成を採用することもでき、このように構成することで、クリーニング部材１２と粘着部１６ｂの表面１６ｃとを、より確実に密着させることができる。
【００２３】
一方、スタンド２は、図２，４に示すように、主筐体２１、副筐体２２および塵埃除去ローラ２３を備えて構成されている。主筐体２１は、クリーナ１を保持するクリーナ保持用筐体として機能し、例えば、側面視が台形状に形成されると共に、クリーナ１の先端部１ａ側を挿入させてクリーナ１を立たせた状態で保持する（図１参照）開口部２１ａが上部に形成されて構成されている。副筐体２２は、塵埃除去ローラ２３を保持する塵埃除去ローラ保持用筐体として機能し、側面視が主筐体２１と同じ台形状に形成されると共に、主筐体２１に対して着脱可能に構成されている。また、副筐体２２の上部には、塵埃除去ローラ２３の一部を収容するための溝部２２ａが形成されている。この場合、図２に示すように、溝部２２ａを構成する壁面には、塵埃除去ローラ２３を回転可能でかつ着脱可能に保持する保持部２２ｂが形成されている。
【００２４】
塵埃除去ローラ２３は、本発明における塵埃除去部材の一例であって、図２に示すように、軸部２３ａおよび粘着部２３ｂを備えて構成されている。軸部２３ａは、円筒状に形成されて、副筐体２２の保持部２２ｂによって回転可能でかつ着脱可能に保持された状態で溝部２２ａに配設されている。なお、円筒状に限定されず、円柱状の軸部２３ａを採用することもできる。粘着部２３ｂは、厚みが２ｍｍ程度の円筒状に形成されると共に、軸部２３ａの周囲に配設されている。また、粘着部２３ｂは、上記した塵埃除去ローラ１６の粘着部１６ｂと同じ材料（粘着性ゴム）によって形成されて、その表面２３ｃが十分な粘着性を有して構成されている。この場合、塵埃除去ローラ２３は、クリーニング部材１２を粘着部２３ｂの表面２３ｃに接触させつつクリーナ１が移動させられたときにその移動に伴って回転し、これによってクリーニング部材１２に付着している塵埃を表面２３ｃの粘着力によって表面１６ｃに貼り付かせることで確実に除去する機能を有している。
【００２５】
次に、クリーニング用具１００を用いて、例えばディスプレイの表面をクリーニングする方法の一例について、図面を参照して説明する。
【００２６】
まず、クリーニング部材１２の先端部分（支持部材１５によって支持されている部分）をディスプレイの表面に当接させた状態でクリーナ１を移動させる。この際に、ディスプレイの表面に付着している塵埃がクリーニング部材１２の先端部分によって拭き取られるようにして除去されて、ディスプレイの表面がクリーニングされる。次いで、この動作を繰り返すことにより、ディスプレイの表面の全域をクリーニングする。この場合、除去した（拭き取った）塵埃によってクリーニング部材１２の先端部が汚れたときには、清浄な部分が先端部分に位置するようにクリーニング部材１２を循環移動させる。
【００２７】
具体的には、回転機構１４のダイヤル１４ａを例えば図５に示す矢印Ａの向きに回転させる。この際に、ダイヤル１４ａの回転に伴って回転軸１３が図外のギヤを介して同図に示す矢印Ｂの向きに回転させられて、これに伴って回転軸１３と支持部材１５との間に掛け渡されているクリーニング部材１２が循環移動させられる。一方、クリーニング部材１２には、塵埃除去ローラ１６における粘着部１６ｂの表面１６ｃが密着している。このため、クリーニング部材１２の循環移動に伴って塵埃除去ローラ１６が同図に示す矢印Ｃの向きに回転させられる。次いで、クリーニング部材１２における塵埃が付着している部分（移動前における先端部）が塵埃除去ローラ１６との接触位置まで循環移動させられたときには、その塵埃が粘着部１６ｂの表面１６ｃによって除去される。この場合、このクリーナ１では、表面１６ｃの粘着力によって塵埃を貼り付かせて確実に除去することができるため、ブラシ等を用いて塵埃を払い落とす従来の構成と比較して、クリーニング部材１２に付着している塵埃を効率的に除去することが可能となっている。また、このクリーナ１では、クリーニング部材１２を取り外す煩雑な作業を行うことなく、回転軸１３および支持部材１５に掛け渡したままの状態で回転軸１３を回転させてクリーニング部材１２を循環移動させるだけで、クリーニング部材１２に付着している塵埃を容易に除去することが可能となっている。
【００２８】
ここで、このクリーニング用具１００では、スタンド２に塵埃除去ローラ２３が配設されており、この塵埃除去ローラ２３を用いてクリーナ１のクリーニング部材１２に付着している塵埃を除去することも可能となっている。具体的には、クリーニング部材１２の先端部に塵埃が付着しているときには、例えば、図６に示すように、スタンド２を図外のテーブル等に載置した状態で、クリーニング部材１２の先端部分を塵埃除去ローラ２３における粘着部２３ｂの表面２３ｃに押し当てつつ（接触させつつ）クリーナ１を同図に示す矢印Ｄの方向（クリーニング部材１２の横幅方向）に沿って移動させる。この際に、塵埃除去ローラ２３がクリーナ１の移動に伴って回転することにより、クリーニング部材１２に付着している塵埃が十分な粘着性を有する表面２３ｃに貼り付いて確実に除去される。このため、塵埃除去ローラ２３を用いる場合においても、クリーニング部材１２を取り外す煩雑な作業を行うことなく、クリーニング部材１２に付着している塵埃を効率的にしかも容易に除去することが可能となっている。
【００２９】
また、このクリーニング用具１００では、スタンド２の副筐体２２が主筐体２１に対して着脱可能に構成されている。このため、主筐体２１から取り外した状態の副筐体２２を用いてクリーナ１のクリーニング部材１２に付着している塵埃を除去することも可能となっている。具体的には、クリーニング部材１２の先端部に塵埃が付着しているときには、主筐体２１から取り外した副筐体２２を手で掴んで、例えば、図７に示すように、塵埃除去ローラ２３における粘着部２３ｂの表面２３ｃをクリーニング部材１２の先端部に押し当てつつ（接触させつつ）クリーナ１または副筐体２２を同図に示す矢印Ｅの方向（クリーニング部材１２の横幅方向）に沿って移動させる。この際に、上記の例と同様にして、塵埃除去ローラ２３がその移動（クリーニング部材１２に対する相対的な移動）に伴って回転することにより、クリーニング部材１２に付着している塵埃が粘着部２３ｂの表面２３ｃによって確実に除去される。このため、この場合においても、クリーニング部材１２を取り外す煩雑な作業を行うことなく、クリーニング部材１２に付着している塵埃を効率的にしかも容易に除去することが可能となっている。
【００３０】
一方、このクリーナ１およびクリーニング用具１００では、塵埃除去ローラ１６，２３の粘着部１６ｂ，２３ｂがシリコン系粘着剤やブチル系粘着剤などの粘着剤で形成されている。このため、この塵埃除去ローラ１６，２３では、これらの粘着性ゴムの特性上、表面１６ｃ，２３ｃに付着した塵埃を水洗いによって容易に洗い流すことが可能となっている。したがって、このクリーナ１およびクリーニング用具１００では、塵埃の付着によって表面１６ｃ，２３ｃの粘着力が低下したときには、塵埃除去ローラ１６，２３を取り外して塵埃を洗い流すことで、粘着力を容易に回復させることができる。このため、塵埃の除去効率を良好に維持した状態で塵埃除去ローラ１６，２３を長期間使用することが可能となっている。
【００３１】
このように、このクリーナ１およびクリーニング用具１００によれば、表面１６ｃが粘着性を有して構成されると共にクリーニング部材１２に表面１６ｃが接触させられた状態でクリーニング部材１２の循環移動に伴って回転する塵埃除去ローラ１６を本体ケース１１に配設したことにより、表面１６ｃの粘着力によって塵埃を貼り付かせて確実に除去することができるため、ブラシ等を用いて塵埃を払い落とす構成と比較して、クリーニング部材１２に付着している塵埃を効率的に除去することができる。また、このクリーナ１およびクリーニング用具１００では、クリーニング部材１２を取り外して洗浄する煩雑な作業を行うことなく、回転軸１３および支持部材１５に掛け渡したままの状態で回転軸１３を回転させてクリーニング部材１２を循環移動させるだけで、クリーニング部材１２に付着している塵埃が確実に除去される。したがって、このクリーナ１およびクリーニング用具１００によれば、クリーニング部材１２に付着している塵埃の除去作業を容易に行うことができる。
【００３２】
また、このクリーナ１およびクリーニング用具１００では、粘着性ゴムで形成されてその表面１６ｃ，２３ｃが粘着性を有する粘着部１６ｂ，２３ｂを備えて塵埃除去ローラ１６，２３が構成されている。このため、このクリーナ１およびクリーニング用具１００では、粘着性ゴムの特性上、塵埃除去ローラ１６，２３における粘着部１６ｂ，２３ｂの表面１６ｃ，２３ｃに付着した塵埃を水洗いによって容易に除去することができる。したがって、このクリーナ１およびクリーニング用具１００によれば、塵埃の付着によって表面１６ｃ，２３ｃの粘着力が低下したとしても、塵埃を洗い流すことで、粘着力を容易に回復させることができる結果、塵埃の除去効率を良好に維持した状態で塵埃除去ローラ１６，２３を長期間使用することができる。
【００３３】
さらに、このクリーニング用具１００によれば、表面２３ｃが粘着性を有して構成されると共にクリーニング部材１２を表面２３ｃに接触させつつクリーナ１が移動させられたときにその移動に伴って回転する塵埃除去ローラ２３を備えてスタンド２を構成したことにより、表面２３ｃの粘着力によって塵埃を貼り付かせて確実に除去することができるため、ブラシ等を用いて塵埃を払い落とす構成と比較して、クリーニング部材１２に付着している塵埃を効率的に除去することができる。また、このクリーナ１およびクリーニング用具１００では、クリーニング部材１２を取り外して洗浄する煩雑な作業を行うことなく、回転軸１３および支持部材１５に掛け渡したままの状態でクリーニング部材１２を表面２３ｃに接触させつつクリーナ１を移動させるだけで、クリーニング部材１２に付着している塵埃が容易に除去される。したがって、このクリーナ１およびクリーニング用具１００によれば、クリーニング部材１２に付着している塵埃の除去作業を容易に行うことができる。
【００３４】
また、このクリーニング用具１００によれば、主筐体２１と、塵埃除去ローラ２３が配設されると共に主筐体２１に対して着脱可能な副筐体２２とを備えてスタンド２を構成したことにより、副筐体２２を主筐体２１に取り付けた状態での使用、副筐体２２を主筐体２１から取り外した状態での使用の双方を任意に選択することができる。したがって、このクリーニング用具１００によれば、利便性を十分に向上させることができる。
【００３５】
なお、本発明は上記の構成に限定されない。例えば、スタンド２に代えて、図８に示すよスタンド１０２を採用することもできる。なお、以下、上記したクリーニング用具１００の構成要素と同じ機能を有する構成要素については同一の符号を付して重複した説明を省略する。この場合、スタンド１０２は、同図に示すように、主筐体１２１および塵埃除去ローラ１２３を備えて構成されている。主筐体１２１は、側面視が台形状に形成されると共に、上記したスタンド２の開口部２１ａと同様の開口部１２１ａが上部に形成されて構成されている。また、主筐体１２１の内側には塵埃除去ローラ１２３を収容する空間が形成されている。また、その空間を構成する内壁には、同図に示すように、塵埃除去ローラ１２３を回転可能でかつ着脱可能に保持する保持部１２１ｂが形成されている。塵埃除去ローラ１２３は、上記した塵埃除去ローラ１６と同じようにして構成されている。つまり、塵埃除去ローラ１２３は、同図に示すように、円筒状（または円柱状）に形成されて、主筐体１２１の保持部１２１ｂによって保持される軸部１２３ａと、粘着性ゴムによって円筒状に形成されると共に軸部１２３ａの周囲に配設された粘着部１２３ｂとを備えて構成されている。
【００３６】
このスタンド１０２では、開口部１２１ａに先端部１ａ側を挿入してクリーナ１を保持している状態において、塵埃除去ローラ１２３における粘着部１２３ｂの表面１２３ｃがクリーニング部材１２に接触する。また、この状態においてクリーナ１のダイヤル１４ａを回転させたときに、回転軸１３の回転によってクリーニング部材１２が循環移動し、この循環移動に伴って塵埃除去ローラ１２３が回転させられる。このため、クリーニング部材１２に付着している塵埃が塵埃除去ローラ１２３の粘着部１６ｂによって除去される。このスタンド１０２においても、粘着部１２３ｂにおける表面１２３ｃの粘着力によって塵埃を貼り付かせて確実に除去することができるため、クリーニング部材１２に付着している塵埃を効率的にしかも容易に除去することができる。
【００３７】
また、上記した本体ケース１１に代えて、図９に示す本体ケース２１１を備えたクリーナ２０１を採用することもできる。この場合、本体ケース２１１は、同図に示すように、互いに嵌合可能な第１ケース２１１ａおよび第２ケース２１１ｂ、並びに第２ケース２１１ｂの基端部に回動可能に取り付けられた第３ケース２１１ｃを備えて構成されている。また、各ケース２１１ａ，２１１ｂには、嵌合状態において塵埃除去ローラ１２３を回転可能でかつ着脱可能に保持する保持部２１１ｄがそれぞれ形成されている。このクリーナ２０１では、同図に示すように、第３ケース２１１ｃを回動させることで塵埃除去ローラ１６を収容する空間が開放されるため、水洗いや交換のための塵埃除去ローラ１６の着脱を容易に行うことができる。
【００３８】
また、塵埃除去ローラ１６，２３，１２３の粘着部１６ｂ，２３ｂ，１２３ｂを構成する材料として、シリコン系粘着剤やブチル系粘着剤などの粘着剤を用いた例について上記したが、これに限定されず、粘着性を有する各種材料を用いることができる。また、筒状に構成した粘着部１６ｂ，２３ｂ，１２３ｂを軸部１６ａ，２３ａ，１２３ａの周囲に配設して塵埃除去ローラ１６，２３，１２３を構成した例について上記したが、表面が粘着性を有するテープ状（帯状）部材を軸部１６ａ，２３ａ，１２３ａの周囲に巻き付けて構成した塵埃除去ローラを採用することもできる。
【００３９】
また、スタンド２の副筐体２２を主筐体２１に対して着脱可能に構成した例について上記したが、主筐体２１と副筐体２２とを一体に形成した構成を採用することもできる。さらに、塵埃除去ローラ１６が配設されたクリーナ１と、塵埃除去ローラ２３が配設されたスタンド２とを備えてクリーニング用具１００を構成した例について上記したが、塵埃除去ローラ１６が配設されていないクリーナと、塵埃除去ローラ２３が配設された上記のスタンド２とを備えてクリーニング用具を構成することもできる。また、塵埃除去ローラ１６が配設された上記のクリーナ１と、塵埃除去ローラ２３が配設されていないスタンドとを備えてクリーニング用具を構成することもできる。
【図面の簡単な説明】
【００４０】
【図１】クリーニング用具１００の構成を示す斜視図である。
【図２】クリーナ１およびスタンド２の分解斜視図である。
【図３】クリーナ１の斜視図である。
【図４】スタンド２の斜視図である。
【図５】クリーナ１の概略構成を示す断面図である。
【図６】スタンド２の塵埃除去ローラ２３を用いた塵埃の除去方法を説明するための第１の説明図である。
【図７】スタンド２の塵埃除去ローラ２３を用いた塵埃の除去方法を説明するための第２の説明図である。
【図８】スタンド１０２の斜視図である。
【図９】クリーナ２０１の構成を示す斜視図である。
【符号の説明】
【００４１】
１，２０１  クリーナ
１ａ  先端部
２，１０２  スタンド
１１，２１１  本体ケース
１２  クリーニング部材
１３  回転軸
１５  支持部材
１６，２３，１２３  塵埃除去ローラ
１６ａ，２３ａ，１２３ａ  軸部
１６ｂ，２３ｂ，１２３ｂ  粘着部
１６ｃ，２３ｃ，１２３ｃ  表面
２１，１２１  主筐体
２１ａ  開口部
２２  副筐体
１００  クリーニング用具
【図１】
2009034210.tif 000003
【図２】
2009034210.tif 000004
【図３】
2009034210.tif 000005
【図４】
2009034210.tif 000006
【図５】
2009034210.tif 000007
【図６】
2009034210.tif 000008
【図７】
2009034210.tif 000009
【図８】
2009034210.tif 000010
【図９】
2009034210.tif 000011